(57)【要約】  【課題】録画中の表示映像切替時に輻射ノイズにより録画映像が劣化するのを防止する。  【解決手段】ＤＶＤプレーヤ・ビデオデッキ内蔵型テレビにおいて、チューナより入力される映像信号に基づく映像をビデオデッキで録画中でかつＣＲＴに表示中に、キー操作により表示モードをチューナからＤＶＤプレーヤに切り替えることが指示されると、電力を供給してＤＶＤプレーヤを起動させ、かつテレビの信号処理部でチューナより入力される映像信号から取り出される同期信号に基づいてＣＲＴにブラックバック映像を表示させる。この後、ＤＶＤプレーヤよりＤＶＤを再生した映像信号が入力されると、信号処理部で処理する映像信号をチューナより入力される映像信号からＤＶＤプレーヤより入力される映像信号に切り替えて、信号処理部で取り出される輝度信号と色信号と同期信号とに基づいてＣＲＴにＤＶＤプレーヤより入力される映像信号に基づく映像を表示させる。【選択図】  図４
2006217119.tif 000002
【特許請求の範囲】
【請求項１】
ＤＶＤに記録されたデータを読み取って第１の映像信号を再生するＤＶＤプレーヤと、外部から入力された第２の映像信号に基づく映像をビデオカセットの磁気テープに録画するビデオデッキとを内蔵し、ビデオデッキでの録画中に、前記第１の映像信号に基づく映像または前記第２の映像信号に基づく映像をＣＲＴに表示し、ＤＶＤプレーヤの未使用時に、ＤＶＤプレーヤへの電力の供給を遮断するＤＶＤプレーヤ・ビデオデッキ内蔵型テレビにおいて、
前記ＣＲＴに表示させる映像を指示する指示手段と、
前記第１の映像信号または前記第２の映像信号から前記ＣＲＴに映像を表示可能な第３の映像信号と同期信号とを取り出す信号処理手段と、
前記信号処理手段で処理する映像信号を切り替える切替手段と、
各部を制御する制御手段と、を備え、
前記制御手段は、
前記第２の映像信号に基づく映像を前記ビデオデッキで録画中でかつ前記ＣＲＴに表示中に、前記指示手段によって前記第１の映像信号に基づく映像を前記ＣＲＴに表示させることが指示されると、前記ＤＶＤプレーヤに電力を供給して前記ＤＶＤプレーヤを起動させかつ前記信号処理手段で前記第２の映像信号から取り出される前記同期信号に基づいて予め記憶された待機用映像を前記ＣＲＴに表示させ、この後前記ＤＶＤプレーヤから前記第１の映像信号が入力されると、前記切替手段によって前記信号処理手段で処理する映像信号を当該第１の映像信号に切り替えて、前記信号処理手段で取り出される前記第３の映像信号と前記同期信号とに基づいて前記ＣＲＴに前記第１の映像信号に基づく映像を表示させることを特徴とするＤＶＤプレーヤ・ビデオデッキ内蔵型テレビ。
【請求項２】
光ディスクに記録されたデータを読み取って第１の映像信号を再生するディスク再生装置と、外部から入力された第２の映像信号に基づく映像を磁気記録媒体に録画する磁気記録装置とを内蔵し、磁気記録装置での録画中に、前記第１の映像信号に基づく映像または前記第２の映像信号に基づく映像を表示手段に表示し、ディスク再生装置の未使用時に、ディスク再生装置への電力の供給を遮断するディスク再生装置・磁気記録装置内蔵型テレビにおいて、
前記表示手段に表示させる映像を指示する指示手段と、
前記第１の映像信号または前記第２の映像信号から前記表示手段に映像を表示可能な第３の映像信号と同期信号とを取り出す信号処理手段と、
前記信号処理手段で処理する映像信号を切り替える切替手段と、
各部を制御する制御手段と、を備え、
前記制御手段は、
前記第２の映像信号に基づく映像を前記磁気記録装置で録画中でかつ前記表示手段に表示中に、前記指示手段によって前記第１の映像信号に基づく映像を前記表示手段に表示させることが指示されると、前記ディスク再生装置に電力を供給して前記ディスク再生装置を起動させ、この後前記ディスク再生装置から前記第１の映像信号が入力されると、前記切替手段によって前記信号処理手段で処理する映像信号を当該第１の映像信号に切り替えて、前記信号処理手段で取り出される前記第３の映像信号と前記同期信号とに基づいて前記表示手段に前記第１の映像信号に基づく映像を表示させることを特徴とするディスク再生装置・磁気記録装置内蔵型テレビ。
【発明の詳細な説明】
【技術分野】
【０００１】
本発明は、ＤＶＤプレーヤ等のディスク再生装置とビデオデッキ等の磁気記録装置とを内蔵したテレビに関するものである。
【背景技術】
【０００２】
他の電子機器が内蔵されたテレビには、例えばＤＶＤ（Digital Versatile Disk）プレーヤとビデオデッキとが内蔵されたものがある。このＤＶＤプレーヤ・ビデオデッキ内蔵型テレビは、ＤＶＤプレーヤで再生されたＤＶＤの記録映像、ビデオデッキで再生されたビデオカセットの磁気テープの記録映像、または外部から入力されたテレビジョン信号に基づく映像のいずれかをキー操作による指示に従って例えばＣＲＴ（Cathode Ray Tube）に表示させ、前記テレビジョン信号に基づく映像をビデオデッキでビデオカセットの磁気テープに録画する。また、このＤＶＤプレーヤ・ビデオデッキ内蔵型テレビでは、ＤＶＤプレーヤの消費電力が他に比べて大きいので、装置全体の消費電力の低減を図るため、ＤＶＤプレーヤの未使用時には、ＤＶＤプレーヤへの電力の供給を遮断して、ＤＶＤプレーヤを未起動状態にしている。
【０００３】
上記のようなＤＶＤプレーヤ・ビデオデッキ内蔵型テレビでは、例えばチューナを介して入力されるテレビジョン信号に基づく映像をビデオデッキで録画中でかつＣＲＴに表示中のときに、リモコン等のキー操作により、ＤＶＤプレーヤに装着したＤＶＤの記録映像をＣＲＴに表示させることが指示されると、ＤＶＤプレーヤに電力を供給して、ＤＶＤプレーヤを起動させる。またこのとき同時に、テレビ側の回路でＣＲＴに映像を表示可能に処理する信号を、チューナより入力される信号からＤＶＤプレーヤより入力される信号に切り替える。この後、起動したＤＶＤプレーヤがＤＶＤのデータを読み取って、再生した映像信号をテレビへ入力し始めると、当該映像信号がテレビ側の回路で表示可能に処理されて、ＤＶＤの記録映像がＣＲＴに表示される。
【０００４】
上記において、ＣＲＴに表示させる映像をＤＶＤプレーヤからの入力映像に切り替えるように指示されてから、実際にＤＶＤプレーヤより映像信号がテレビ側の回路へ入力されるまでの間には、ＤＶＤプレーヤの起動や、ＤＶＤプレーヤによるＤＶＤの検出およびＤＶＤのＴＯＣ（Table of Contents）の読み込み等が行われるため、ある程度時間がかかり、テレビ側の回路で表示可能に処理する信号が何も入力されない状態となる。このように入力信号の無い状態になると、ＣＲＴにノイズ画面（砂あらし画面）が表れてしまうので、当該ノイズ画面を隠すために、従来は上記の間、予め記憶されたブラックバック映像（一面黒の待機用映像）の信号をテレビ側の回路で処理して、ＣＲＴにブラックバック映像を表示させていた。
【０００５】
チューナやＤＶＤプレーヤ等からの入力映像をＣＲＴに表示させる際は、テレビ側の回路でチューナやＤＶＤプレーヤ等からの入力信号から、ＣＲＴに映像を表示可能な輝度信号、色信号、および周波数が１５．７３ＫＨｚおよび６０Ｈｚに一致した水平同期信号および垂直同期信号を取り出して、当該各信号に基づいて映像をＣＲＴに表示させる。これにより、チューナやＤＶＤプレーヤ等からの入力映像が同期のとれた状態でＣＲＴに表示される。これに対して、上述したようにブラックバック映像をＣＲＴに表示させる際は、ＤＶＤプレーヤからテレビ側の回路へ入力信号が無いので、テレビ側の回路でブラックバック映像を表示させるための輝度信号、色信号、および同期信号を生成して、当該各信号に基づいて映像をＣＲＴに表示させる。このとき、テレビ側の回路で生成された同期信号の周波数は１５．７３ＫＨｚおよび６０Ｈｚに一致していないので、ブラックバック映像が同期のとれていない状態でＣＲＴに表示される。このようにＣＲＴの表示映像がフリーラン状態になると、チューナからの入力映像を録画しているビデオデッキでは、ＣＲＴからの輻射により、チューナからの入力信号、即ち周波数が１５．７３ＫＨｚおよび６０Ｈｚに一致している同期信号を含んだテレビジョン信号にノイズが乗って、ビデオカセットの磁気テープに録画する映像が劣化するという問題が生じる。
【０００６】
なお、録画映像の劣化を防止する技術として、下記の特許文献１のようなものがある。しかしこの技術は、ディスク記録装置を内蔵したビデオカメラにおいて、映像の撮影中にディスク記録装置の動作を停止または静音・静振モードで制御することにより、映像を劣化なく取り込んで光ディスクに記録するものであり、上述のようなディスク再生装置と磁気記録装置とを内蔵したテレビでの、録画中の表示映像切替時に発生する輻射ノイズによる録画映像の劣化を防止することはできない。
【特許文献１】特開２００４−１５８１４９号公報
【発明の開示】
【発明が解決しようとする課題】
【０００７】
本発明は、上述した問題点を解決するものであって、その課題とするところは、録画中の表示映像切替時に輻射ノイズによって録画映像が劣化するのを防止可能なディスク再生装置・磁気記録装置内蔵型テレビ、およびＤＶＤプレーヤ・ビデオデッキ内蔵型テレビを提供することにある。
【課題を解決するための手段】
【０００８】
本発明では、光ディスクに記録されたデータを読み取って第１の映像信号を再生するディスク再生装置と、外部から入力された第２の映像信号に基づく映像を磁気記録媒体に録画する磁気記録装置とを内蔵し、磁気記録装置での録画中に、第１の映像信号に基づく映像または第２の映像信号に基づく映像を表示手段に表示し、ディスク再生装置の未使用時に、ディスク再生装置への電力の供給を遮断するディスク再生装置・磁気記録装置内蔵型テレビにおいて、表示手段に表示させる映像を指示する指示手段と、第１の映像信号または第２の映像信号から表示手段に映像を表示可能な第３の映像信号と同期信号とを取り出す信号処理手段と、信号処理手段で処理する映像信号を切り替える切替手段と、各部を制御する制御手段とを備え、制御手段は、第２の映像信号に基づく映像を磁気記録装置で録画中でかつ表示手段に表示中に、指示手段によって第１の映像信号に基づく映像を表示手段に表示させることが指示されると、ディスク再生装置に電力を供給してディスク再生装置を起動させ、この後ディスク再生装置から第１の映像信号が入力されると、切替手段によって信号処理手段で処理する映像信号を当該第１の映像信号に切り替えて、信号処理手段で取り出される第３の映像信号と同期信号とに基づいて表示手段に第１の映像信号に基づく映像を表示させる。
【０００９】
上記のように、ディスク再生装置から第１の映像信号が入力された後に、切替手段によって信号処理手段で処理する映像信号を外部から入力される第２の映像信号から第１の映像信号に切り替えると、指示手段によって第１の映像信号に基づく映像を表示手段に表示させることが指示されてから、実際にディスク再生装置から第１の映像信号が入力されるまでの間、信号処理手段によって第２の映像信号から所定の周波数の同期信号を取り出して、当該同期信号に基づいて同期がとれた状態で表示手段に映像を表示させることができる。このため、磁気記録装置に入力される所定の周波数の同期信号を含んだ第２の映像信号に、表示手段からの輻射ノイズが乗ることはなく、録画中の表示映像切替時に輻射ノイズによって録画映像が劣化するのを防止することが可能となる。
【００１０】
また、本発明の典型的な実施形態では、ＤＶＤに記録されたデータを読み取って第１の映像信号を再生するＤＶＤプレーヤと、外部から入力された第２の映像信号に基づく映像をビデオカセットの磁気テープに録画するビデオデッキとを内蔵し、ビデオデッキでの録画中に、第１の映像信号に基づく映像または第２の映像信号に基づく映像をＣＲＴに表示し、ＤＶＤプレーヤの未使用時に、ＤＶＤプレーヤへの電力の供給を遮断するＤＶＤプレーヤ・ビデオデッキ内蔵型テレビにおいて、ＣＲＴに表示させる映像を指示するために操作する指示手段と、第１の映像信号または第２の映像信号からＣＲＴに映像を表示可能な第３の映像信号と同期信号とを取り出す信号処理手段と、信号処理手段で処理する映像信号を切り替える切替手段と、各部を制御する制御手段とを備え、制御手段は、第２の映像信号に基づく映像をビデオデッキで録画中でかつＣＲＴに表示中に、指示手段によって第１の映像信号に基づく映像をＣＲＴに表示させることが指示されると、ＤＶＤプレーヤに電力を供給してＤＶＤプレーヤを起動させかつ信号処理手段で第２の映像信号から取り出した同期信号に基づいて予め記憶された待機用映像をＣＲＴに表示させ、この後ＤＶＤプレーヤから第１の映像信号が入力されると、切替手段によって信号処理手段で処理する映像信号を当該第１の映像信号に切り替えて、信号処理手段で取り出される第３の映像信号と同期信号とに基づいてＣＲＴに第１の映像信号に基づく映像を表示させる。
【００１１】
上記のように、ＤＶＤプレーヤから第１の映像信号が入力された後に、切替手段によって信号処理手段で処理する映像信号を外部から入力される第２の映像信号から第１の映像信号に切り替えると、指示手段によって第１の映像信号に基づく映像をＣＲＴに表示させることが指示されてから、実際にＤＶＤプレーヤから第１の映像信号が入力されるまでの間、信号処理手段によって第２の映像信号から周波数１５．７３ＫＨｚおよび６０Ｈｚの水平／垂直同期信号を取り出して、当該同期信号に基づいて同期がとれた状態でＣＲＴに予め記憶された待機用映像を表示させることができる。よって、ＣＲＴの表示映像がフリーラン状態にならなくなるので、ビデオデッキに入力される周波数１５．７３ＫＨｚおよび６０Ｈｚの水平／垂直同期信号を含んだ第２の映像信号にＣＲＴからの輻射ノイズが乗らなくなり、録画中の表示映像切替時に輻射ノイズによって録画映像が劣化するのを防止することが可能となる。また、表示モードの切り替え指示が有ってから、実際にＤＶＤプレーヤから第１の映像信号が入力されるまでの間に、ＣＲＴに待機用映像を表示することで、ユーザに表示映像の切替動作中であることを認識させて、安心感を与えることができる。
【発明の効果】
【００１２】
本発明によれば、外部から入力された第２の映像信号に基づく映像を録画中でかつ表示中に、表示映像をディスク再生装置から入力される第１の映像信号に基づく映像に切り替えるように指示されても、指示されてからディスク再生装置より第１の映像信号が入力されるまでの間、第２の映像信号から取り出した同期信号に基づいて同期がとれた状態で表示手段に映像を表示させることができるので、磁気記録装置に入力される第２の映像信号に表示手段からの輻射ノイズが乗らず、録画映像が劣化するのを防止することが可能となる。
【発明を実施するための最良の形態】
【００１３】
図１は、本発明の実施形態に係るＤＶＤプレーヤ・ビデオデッキ内蔵型テレビの電気ブロック図である。図１において、ＤＶＤプレーヤ・ビデオデッキ内蔵型テレビ１００は大別して、テレビ１と、ＤＶＤ（Digital Versatile Disk）６に記録された映像のデータを再生するＤＶＤプレーヤ２と、外部から入力されたテレビジョン信号に基づく映像をビデオカセット７の磁気テープに録画するビデオデッキ３と、各部へ電力を供給する電源部４とから構成されている。なお、ＤＶＤプレーヤ２は、ＤＶＤ６以外に、図示しないオーディオ用のＣＤ（Compact Disk）に記録された音楽等の音声のデータを再生することも可能である。また、ＤＶＤプレーヤ２の未使用時は、ＤＶＤプレーヤ・ビデオデッキ内蔵型テレビ１００全体の消費電力の低減を図るため、電源部４からＤＶＤプレーヤ２への電力の供給を遮断して、ＤＶＤプレーヤ２を未起動状態にしている。
【００１４】
テレビ１において、メインマイクロコンピュータ（以下、「メインマイコン」という。）１１は、ＣＰＵとＲＯＭやＲＡＭ等のメモリとインターフェイス等から構成されていて、テレビ１の各部だけでなく、ＤＶＤプレーヤ２、ビデオデッキ３、および電源部４を統括的に制御する。メインマイコン１１のメモリには、各部を制御するための制御データと、ＣＲＴ１８へのノイズ画面（砂あらし画面）の表示を阻止する待機用映像としてブラックバック映像（一面黒の黒画面）のデータ等が予め記憶されている。外部インターフェイス１３は、ＤＶＤプレーヤ・ビデオデッキ内蔵型テレビ１００に外付け（ケーブルにより接続）された図示しないビデオデッキやデジタルカメラ等のＡＶ機器から信号を受信する。チューナ１４は、アンテナ５で受信されたテレビジョン放送電波から所定のチャンネルのテレビジョン信号を抽出する。信号処理部１２は、外部インターフェイス１３、チューナ１４、ＤＶＤプレーヤ２、またはビデオデッキ３より入力される信号からＣＲＴ（Cathode Ray Tube）１８に映像を表示可能な輝度信号、色信号、および同期信号等を取り出して、ＣＲＴ１８またはＣＲＴ駆動部１７へ出力する。ＣＲＴ駆動部１７は、偏向回路とフライバックトランス等から構成されていて、信号処理部１２から入力される信号に基づいてＣＲＴ１８に電流及び電圧を供給して映像を表示させる。また、信号処理部１２は、外部インターフェイス１３、チューナ１４、ＤＶＤプレーヤ２、またはビデオデッキ３より入力される信号から音声信号を取り出して、音声アンプ１５へ出力する。音声アンプ１５は、信号処理部１２から入力される音声信号を増幅して、スピーカ１６へ出力する。スピーカ１６は、増幅された音声信号に基づいて音声を出力する。操作部１９は、ＤＶＤプレーヤ・ビデオデッキ内蔵型テレビ１００の本体やリモコンに設置された各種キー、スイッチ、およびＬＥＤ等から構成されている。操作部１９に含まれる表示モード指示キー１９ａは、ＣＲＴ１８に表示させる映像を指示するときに操作される。
【００１５】
ＤＶＤプレーヤ２において、サブマイクロコンピュータ（以下、「サブマイコン」という。）２１は、ＣＰＵとメモリとインターフェイス等から構成されていて、メインマイコン１１からの指示に従ってＤＶＤプレーヤ２の各部を制御する。リード部２３は、光ピックアップやモータやサーボ回路等から構成されていて、装着されたＤＶＤ６からデータを読み取って信号処理部２２へ出力する。信号処理部２２は、リード部２３から入力される信号から映像信号を再生してテレビ１の信号処理部１２に出力する。
【００１６】
ビデオデッキ３において、サブマイクロコンピュータ（以下、「サブマイコン」という。）３１は、ＣＰＵとメモリとインターフェイス等から構成されていて、メインマイコン１１からの指示に従ってビデオデッキ３の各部を制御する。リード／ライト部３３は、ヘッドやシリンダやモータ等から構成されていて、装着されたビデオカセット７の磁気テープから磁気データを読み取って信号処理部３２へ出力したり、信号処理部３２から入力される信号に従ってビデオカセット７の磁気テープに映像を磁気記録したりする。信号処理部３２は、リード／ライト部３３から入力される信号から映像信号を再生してテレビ１の信号処理部１２に出力したり、外部インターフェイス１３またはチューナ１４より入力される信号をビデオカセット７の磁気テープに磁気記録可能な信号に変換して、リード／ライト部３３へ出力したりする。
【００１７】
図２は、テレビ１の信号処理部１２の詳細構成を示す図である。図２において、信号処理部１２の切替回路１２ａには、信号の入力端子であるインセルＩ１〜Ｉ４と、いずれかのインセルＩ１〜Ｉ４に電気的に接続されるセレクタＳとが設けられている。インセルＩ１には、外付けのＡＶ機器から外部インターフェイス１３を介して映像信号としてコンポジット信号（以下、「ＣＯＭ信号」という。）、または輝度信号Ｙおよびクロマ信号Ｃ（以下、まとめて「Ｙ／Ｃ信号」という。）等が入力される。インセルＩ２には、チューナ１４から映像信号としてＣＯＭ信号が入力される。インセルＩ３には、ＤＶＤプレーヤ２から映像信号としてＹ／Ｃ信号が入力される。インセルＩ４には、ビデオデッキ３から映像信号としてＣＯＭ信号が入力される。
【００１８】
増幅／検波回路１２ｂは、いずれかのインセルＩ１〜Ｉ４とセレクタＳとを介して入力される信号を増幅および検波し、当該信号から輝度信号Ｙ（以下、「Ｙ信号」という。）を取り出してＣＲＴ１８へ出力したり、色に関する信号を取り出して色信号生成回路１２ｃへ出力したり、上記輝度信号Ｙからさらに水平同期信号および垂直同期信号（以下、単に「同期信号」という。）を取り出して同期回路１２ｄへ出力したりする。また、増幅／検波回路１２ｂは、メインマイコン１１から入力される前述のブラックバック映像を表示するための信号（以下、「ブラックバック映像信号」という。）から輝度信号Ｙ（以下、「Ｙ信号」という。）を取り出してＣＲＴ１８へ出力したり、色に関する信号を取り出して色信号生成回路１２ｃへ出力したりする。外部インターフェイス１３、チューナ１４、ＤＶＤプレーヤ２、またはビデオデッキ３のいずれかから増幅／検波回路１２ｂへ映像信号が入力されているときは、同期回路１２ｄへ出力される同期信号の周波数は１５．７３ＫＨｚおよび６０Ｈｚに一致するが、映像信号が入力されていないときは、同期回路１２ｄへ出力される同期信号の周波数は１５．７３ＫＨｚおよび６０Ｈｚに一致しない。
【００１９】
色信号生成回路１２ｃは、増幅／検波回路１２ｂから入力される色に関する信号を増幅および色復調し、色信号としてＲ・Ｇ・Ｂの原色信号（以下、「ＲＧＢ信号」という。）を生成して、ＣＲＴ１８へ出力する。同期回路１２ｄは、増幅／検波回路１２ｂから入力される同期信号に基づいてのこぎり波状の水平ドライブ信号および垂直ドライブ信号（以下、単に「ドライブ信号」という。）を生成して、ＣＲＴ駆動部１７へ出力する。
【００２０】
上記の信号処理部１２において、切替回路１２ａのインセルＩ１〜I４とセレクタＳの接続状態を切り替えることで、以降の回路１２ｂ〜１２ｄで処理する信号が切り替えられ、ＣＲＴ１８に表示される映像が切り替わる。
【００２１】
以上の構成において、ＤＶＤプレーヤ・ビデオデッキ内蔵型テレビ１００は、本発明におけるディスク再生装置・磁気記録装置内蔵型テレビの一実施形態を構成する。メインマイコン１１は、本発明における制御手段の一実施形態を構成する。信号処理部１２は、本発明における信号処理手段の一実施形態を構成する。切替回路１２ａは、本発明における切替手段の一実施形態を構成する。ＣＲＴ１８は、本発明における表示手段の一実施形態を構成する。表示モード指示キー１９ａは、本発明における指示手段の一実施形態を構成する。また、ＤＶＤプレーヤ２から信号処理部１２に入力されるＹ／Ｃ信号は、本発明における第１の映像信号の一実施形態を構成し、チューナ１４から信号処理部１２に入力されるＣＯＭ信号は、本発明における第２の映像信号の一実施形態を構成し、信号処理部１２からＣＲＴ１８に入力されるＹ信号とＲＧＢ信号は、本発明における第３の映像信号の一実施形態を構成する。
【００２２】
図３は、ＤＶＤプレーヤ・ビデオデッキ内蔵型テレビ１００の動作手順の一例を示すフローチャートである。各処理は、メインマイコン１１が実行する。図３において、始めに、ＤＶＤプレーヤ・ビデオデッキ内蔵型テレビ１００は、チューナ１４からの入力映像を、ビデオデッキ３で録画中でかつＣＲＴ１８に表示中の状態にある。即ち、ビデオデッキ３は、チューナ１４より入力されるＣＯＭ信号に基づく映像をビデオカセット７の磁気テープに記録していて、テレビ１は、信号処理部１２の切替回路１２ａのセレクタＳをインセルＩ２に電気的に接続して、増幅／検波回路１２ｂおよび色信号生成回路１２ｃでチューナ１４より入力されるＣＯＭ信号からＹ信号、ＲＧＢ信号、および同期信号を取り出し、当該各信号に基づいてテレビジョン放送の映像をＣＲＴ１８に表示していて、ＤＶＤプレーヤ２は、未だ起動していない状態にある。
【００２３】
上記の状態から、ユーザがＣＲＴ１８に表示させる映像をテレビジョン放送の映像からＤＶＤ６の記録映像に切り替えるように表示モード指示キー１９ａを操作すると、メインマイコン１１は、表示モードをチューナ１４からＤＶＤプレーヤ２に切り替える指示が有ったと判断する（ステップＳ１：ＹＥＳ）。このように判断すると、メインマイコン１１は、ＤＶＤプレーヤ２を起動させるために、電源部４からＤＶＤプレーヤ２に電力を供給する（ステップＳ２）。また、メインマイコン１１は、ブラックバック映像信号を増幅／検波回路１２ｂへ入力し、このとき増幅／検波回路１２ｂでチューナ１４より入力されるＣＯＭ信号から取り出した同期信号に基づいて、ブラックバック映像をＣＲＴ１８に表示させる（ステップＳ３）。なお、図３ではステップＳ３の処理をステップＳ２の処理の後に実行するようになっているが、これ以外に、ステップＳ３の処理をステップＳ２の処理より前に実行するようにしてもよいし、ステップＳ２の処理とステップＳ３の処理を同時に実行するようにしてもよい。
【００２４】
その後、ＤＶＤプレーヤ２が起動状態となり（ステップＳ４：ＹＥＳ）、ＤＶＤプレーヤ２からＤＶＤ６のデータを読み取って再生したＹ／Ｃ信号が信号処理部１２へ入力されると（ステップＳ５：ＹＥＳ）、メインマイコン１１は、切替回路１２ａのセレクタＳをインセルＩ３に接続して、増幅／検波回路１２ｂ等で表示処理する信号をチューナ１４より入力されるＣＯＭ信号からＤＶＤプレーヤ２より入力されるＹ／Ｃ信号へ切り替える（ステップＳ６）。そして、メインマイコン１１は、増幅／検波回路１２ｂおよび色信号生成回路１２ｃでＤＶＤプレーヤ２より入力されるＹ／Ｃ信号からＹ信号、ＲＧＢ信号、および同期信号を取り出して、当該各信号に基づいてＤＶＤプレーヤ２からの入力映像、即ちＤＶＤ６の記録映像をＣＲＴ１８に表示させる（ステップＳ７）。これにより、ＤＶＤプレーヤ・ビデオデッキ内蔵型テレビ１００は、チューナ１４からの入力映像をビデオデッキ３で録画中で、かつＤＶＤプレーヤ２からの入力映像をＣＲＴ１８に表示中の状態となる。
【００２５】
図４は、ＤＶＤプレーヤ・ビデオデッキ内蔵型テレビ１００の各部の状態を示すタイムチャートである。本図では、従来との比較の便宜上、前述した従来の手順をＤＶＤプレーヤ・ビデオデッキ内蔵型テレビ１００に適用した例（従来例）を一点鎖線で示し、図３で説明した実施例（本実施例）を実線で示している。
【００２６】
従来は、ユーザにより表示モード指示キー１９ａが操作されて、図４（ａ）に示すように表示モードをチューナ１４からＤＶＤプレーヤ２へ切り替えることが指示されると、即座にテレビ１の信号処理部１２で表示可能に処理する信号をチューナ１４より入力されるＣＯＭ信号からＤＶＤプレーヤ２より入力されるＹ／Ｃ信号に切り替えるため、図４（ｂ）に一点鎖線で示すように、切替回路１２ａのセレクタＳをチューナ１４用のインセルＩ２に接続した状態からＤＶＤプレーヤ２用のインセルＩ３に接続した状態に切り替える。これにより、表示モードの切り替え指示が有ってから、実際にＤＶＤプレーヤ２が起動してＹ／Ｃ信号を出力するまでの間は、増幅／検波回路１２ｂにはメインマイコン１１からのブラックバック映像信号しか入力されないので、図４（ｄ）に一点鎖線で示すようにＣＲＴ１８には、増幅／検波回路１２ｂおよび色信号生成回路１２ｃでブラックバック映像信号を基に生成されたＹ信号およびＲＧＢ信号と、増幅／検波回路１２ｂで生成した周波数が１５．７３ＫＨｚおよび６０Ｈｚに一致していない同期信号（以下、「非同期信号」という。）に基づく映像が表示される。つまり、ブラックバック映像が同期のとれていない状態でＣＲＴに表示される。このようにＣＲＴ１８の表示映像がフリーラン状態になると、チューナ１４からの入力映像を録画しているビデオデッキ３では、ＣＲＴ１８からの輻射により、チューナ１４から信号処理部３２に入力されるＣＯＭ信号にノイズが乗って、ビデオカセット７の磁気テープに録画する映像が劣化するという問題が生じる。
【００２７】
上記に対して、本実施例では、図４（ａ）に示すように表示モードをチューナ１４からＤＶＤプレーヤ２へ切り替えることが指示されてから、図４（ｃ）に示すようにＤＶＤプレーヤ２が起動してＹ／Ｃ信号をテレビ１の信号処理部１２へ出力した後に、図４（ｂ）に実線で示すように切替回路１２ａのセレクタＳをチューナ１４用のインセルＩ２に接続した状態からＤＶＤプレーヤ２用のインセルＩ３に接続した状態に切り替えて、信号処理部１２で表示可能に処理する信号をチューナ１４より入力されるＣＯＭ信号からＤＶＤプレーヤ２より入力されるＹ／Ｃ信号に切り替える。これにより、表示モードの切り替え指示が有ってから、ＤＶＤプレーヤ２が起動してＹ／Ｃ信号を出力するまでの間は、増幅／検波回路１２ｂにはメインマイコン１１からのブラックバック映像信号とチューナ１４からのＣＯＭ信号とが入力されるため、図４（ｅ）に実線で示すようにＣＲＴ１８には、増幅／検波回路１２ｂおよび色信号生成回路１２ｃでブラックバック映像信号を基に生成されたＹ信号およびＲＧＢ信号と、チューナ１４からのＣＯＭ信号より取り出した周波数が１５．７３ＫＨｚおよび６０Ｈｚに一致している同期信号に基づく映像が表示される。つまり、ブラックバック映像が同期のとれた状態でＣＲＴに表示される。よって、ＣＲＴ１８の表示映像がフリーラン状態にならなくなるので、ビデオデッキ３の信号処理部３２に入力されるＣＯＭ信号に輻射ノイズが乗らなくなり、ビデオデッキ３での録画中の表示映像切替時に輻射ノイズによってビデオカセット７の磁気テープへの録画映像が劣化するのを防止することが可能となる。また、表示モードの切り替え指示が有ってから、実際にＤＶＤプレーヤ２がＹ／Ｃ信号を出力するまでの間、ブラックバック映像をＣＲＴ１８に表示させるので、ユーザにＤＶＤプレーヤ・ビデオデッキ内蔵型テレビ１００が表示映像の切替動作中であることを認識させて、安心感を与えることができる。
【００２８】
本発明は、以上述べた実施形態以外にも種々の形態を採用することができる。例えば、以上の実施形態では、チューナ１４からの入力映像をビデオデッキ３で録画中でかつＣＲＴ１８に表示中に、ＣＲＴ１８の表示映像がＤＶＤプレーヤ２からの入力映像に切り替えられた場合を例に挙げているが、本発明はこれのみに限定するものではない。これ以外に、例えば外付けのビデオデッキ、ＤＶＤレコーダ、デジタルビデオカメラ、またはデジタルカメラ等のＡＶ機器から外部インターフェイス１３を介して入力される入力映像をビデオデッキ３で録画中でかつＣＲＴ１８に表示中に、ＣＲＴ１８の表示映像がＤＶＤプレーヤ２からの入力映像に切り替えられた場合にも適用することが可能である。
【００２９】
また、以上の実施形態では、ＤＶＤプレーヤ・ビデオデッキ内蔵型テレビ１００に本発明を適用した例を挙げているが、本発明はこれ以外にも、例えばビデオデッキ３に代えてハードディスクドライブを内蔵したテレビや、ＤＶＤプレーヤ２に代えてＤＶＤの記録映像を再生可能でかつＤＶＤに映像を記録可能なＤＶＤレコーダを内蔵したテレビや、ＤＶＤ以外の光ディスクの記録映像を再生可能なディスク再生装置を内蔵したテレビ等のような、ディスク再生装置・磁気記録装置内蔵型テレビに適用することが可能である。
【図面の簡単な説明】
【００３０】
【図１】ＤＶＤプレーヤ・ビデオデッキ内蔵型テレビの電気ブロック図である。
【図２】同内蔵型テレビの信号処理部の詳細構成を示す図である。
【図３】同内蔵型テレビの動作手順の一例を示すフローチャートである。
【図４】同内蔵型テレビの各部の状態を示すタイムチャートである。
【符号の説明】
【００３１】
１      テレビ
２      ＤＶＤプレーヤ
３      ビデオデッキ
６      ＤＶＤ
７      ビデオカセット
１１    メインマイクロコンピュータ
１２    信号処理部
１２ａ  切替回路
１８    ＣＲＴ
１９ａ  表示モード指示キー
１００  ＤＶＤプレーヤ・ビデオデッキ内蔵型テレビ
【図１】
2006217119.tif 000003
【図２】
2006217119.tif 000004
【図３】
2006217119.tif 000005
【図４】
2006217119.tif 000006